(57)【特許請求の範囲】
【請求項１】
２枚の側板、該２枚の側板に亘る背板、及び該背板に対向する扉を有するキャビネット本体と、
該キャビネット本体に収容され、透光性を有する棚板と、
該棚板に光を照射する光源と
を備えるキャビネットであって、
前記キャビネット本体には、前記扉の開閉を検出する開閉検出部を保持する検出保持部が取り付けられ、
該検出保持部は、前記扉に対向する第１面と、該第１面とは異なる第２面とを有し、
前記第１面に、前記開閉検出部が前記扉に向けて収容される収容穴が設けられており、
前記第２面に、前記収容穴に連通し、前記開閉検出部と該開閉検出部が検出した前記扉の開／閉に応じて前記光源の点灯／非点灯を制御する制御部とを接続する接続線が挿通される挿通口が設けられており、
前記キャビネット本体は、
前記２枚の側板及び前記背板に囲繞されている空間を上側から閉塞する天板と、
長さ方向の両端部が前記２枚の側板に取り付けられており、前記天板を下側から支持する戸当たり桟と
を更に有し、
前記検出保持部は、前記２枚の側板に亘る板状をなし、前記扉に対向する端面を有し、前記戸当たり桟の下側から前記背板に亘って前記天板を覆うように配されており、
前記第１面は前記端面であり、
前記第２面は前記検出保持部の上面であり、
前記検出保持部、前記背板、前記天板、及び前記戸当たり桟に囲繞された空間に、前記接続線が配されることを特徴とするキャビネット。
【請求項２】
２枚の側板、該２枚の側板に亘る背板、及び該背板に対向する扉を有するキャビネット本体と、
該キャビネット本体に収容され、透光性を有する棚板と、
該棚板に光を照射する光源と
を備えるキャビネットであって、
前記キャビネット本体には、前記扉の開閉を検出する開閉検出部を保持する検出保持部が取り付けられ、
該検出保持部は、前記扉に対向する第１面と、該第１面とは異なる第２面とを有し、
前記第１面に、前記開閉検出部が前記扉に向けて収容される収容穴が設けられており、
前記第２面に、前記収容穴に連通し、前記開閉検出部と該開閉検出部が検出した前記扉の開／閉に応じて前記光源の点灯／非点灯を制御する制御部とを接続する接続線が挿通される挿通口が設けられており、
前記キャビネット本体は、
前記２枚の側板及び前記背板に囲繞されている空間を上側から閉塞する天板
を更に有し、
前記検出保持部は、前記２枚の側板に亘る横棒状をなし、前記天板の下側、且つ前記棚板よりも上側に配されており、
前記第２面は、前記検出保持部の前記背板に対向する面であり、
前記天板に、前記接続線が挿通される接続挿通孔が設けられており、
前記天板の上側に、前記接続線が配されることを特徴とするキャビネット。
【請求項３】
非透光性を有し、前記光源を保持する光源保持部を備え、
該光源保持部は、
前記背板に取り付けられる第１金具と、
該第１金具に取り付けられる第２金具と、
第１緩衝部材及び第２緩衝部材と
を有し、
前記第１金具は、
一面を前記背板に対面させて前記背板に取り付けられ、前記棚板に向けて前記光源を保持する保持板と、
一面を上向きにして前記保持板の下部から前方に突出し、前記第１緩衝部材を介して前記一面に前記棚板の下面が載置される載置板と、
一面を上向きにして前記保持板の上部から前方に突出し、前記一面で前記第２金具を受け止める受け止め板と
を有する断面コ字状の部材であり、
前記第２金具は、
一面を下向きにし、前記受け止め板に上側から取り付けられている取り付け板と、
一面を下向きにし、前記第２緩衝部材を介して前記棚板の上面を覆う被覆板と、
一面を前記保持板に対面させて前記被覆板及び取り付け板を連結する連結板と
を有する断面コ字状の部材であることを特徴とする請求項１又は２に記載のキャビネット。
【請求項４】
２枚の側板、該２枚の側板に亘る背板、及び該背板に対向する扉を有するキャビネット本体と、
該キャビネット本体に収容され、透光性を有する棚板と、
該棚板に光を照射する光源と
を備えるキャビネットであって、
前記キャビネット本体には、前記扉の開閉を検出する開閉検出部を保持する検出保持部が取り付けられ、
該検出保持部は、前記扉に対向する第１面と、該第１面とは異なる第２面とを有し、
前記第１面に、前記開閉検出部が前記扉に向けて収容される収容穴が設けられており、
前記第２面に、前記収容穴に連通し、前記開閉検出部と該開閉検出部が検出した前記扉の開／閉に応じて前記光源の点灯／非点灯を制御する制御部とを接続する接続線が挿通される挿通口が設けられており、
非透光性を有し、前記光源を保持する光源保持部を備え、
該光源保持部は、
前記背板に取り付けられる第１金具と、
該第１金具に取り付けられる第２金具と、
第１緩衝部材及び第２緩衝部材と
を有し、
前記第１金具は、
一面を前記背板に対面させて前記背板に取り付けられ、前記棚板に向けて前記光源を保持する保持板と、
一面を上向きにして前記保持板の下部から前方に突出し、前記第１緩衝部材を介して前記一面に前記棚板の下面が載置される載置板と、
一面を上向きにして前記保持板の上部から前方に突出し、前記一面で前記第２金具を受け止める受け止め板と
を有する断面コ字状の部材であり、
前記第２金具は、
一面を下向きにし、前記受け止め板に上側から取り付けられている取り付け板と、
一面を下向きにし、前記第２緩衝部材を介して前記棚板の上面を覆う被覆板と、
一面を前記保持板に対面させて前記被覆板及び取り付け板を連結する連結板と
を有する断面コ字状の部材であることを特徴とするキャビネット。
【請求項５】
前記光源保持部は、非光反射性を有することを特徴とする請求項３又は４に記載のキャビネット。
【請求項６】
前記保持板及び背板夫々の対応する位置に給電挿通孔が設けられており、
前記光源に給電するための給電部材が、前記給電挿通孔を通して前記背板の後側に引き出されることを特徴とする請求項３から５の何れか一項に記載のキャビネット。
【発明の詳細な説明】
【技術分野】
【０００１】
本発明は、棚板を備えるキャビネットに関する。
【背景技術】
【０００２】
従来、透明な棚板が光る光棚が提案されている（特許文献１参照）。
特許文献１に記載されている光棚の場合、棚板は矩形状をなし、棚板の一端面は入光面である。棚板の入光面には光源が対向配置されている。棚板は出光面（例えば入光面に対向する他端面）を有する。光源が発した光は、棚板の一端面から棚板の内部に入射し、棚板の出光面から棚板の外部に出射する。
【先行技術文献】
【特許文献】
【０００３】
【特許文献１】実開平６−３８１１７号公報
【発明の概要】
【発明が解決しようとする課題】
【０００４】
特許文献１に記載の光棚を、扉を備えるキャビネットに応用する場合、扉が開いているときには棚板が光り、扉が閉まっているときには棚板が光らないようにしたいという要望がある。このためには、扉の開／閉に伴って、棚板に光を照射する光源の点灯／非点灯を切り替える必要がある。
扉の開閉を検出する開閉検出部は、例えば近接センサである。この場合、開閉検出部を、扉の近傍にて扉に対向配置する必要がある。故に、扉を開けた場合に開閉検出部が人目に触れ易い。しかしながら、開閉検出部が目立つと、キャビネットの美観を損なう虞がある。
【０００５】
本発明は斯かる事情に鑑みてなされたものであり、その主たる目的は、美観を向上させることができるキャビネットを提供することにある。
【課題を解決するための手段】
【０００６】
本実施の形態に係るキャビネットは、２枚の側板、該２枚の側板に亘る背板、及び該背板に対向する扉を有するキャビネット本体と、該キャビネット本体に収容され、透光性を有する棚板と、該棚板に光を照射する光源とを備えるキャビネットであって、前記キャビネット本体には、前記扉の開閉を検出する開閉検出部を保持する検出保持部が取り付けられ、該検出保持部は、前記扉に対向する第１面と、該第１面とは異なる第２面とを有し、前記第１面に、前記開閉検出部が前記扉に向けて収容される収容穴が設けられており、前記第２面に、前記収容穴に連通し、前記開閉検出部と該開閉検出部が検出した前記扉の開／閉に応じて前記光源の点灯／非点灯を制御する制御部とを接続する接続線が挿通される挿通口が設けられており、前記キャビネット本体は、前記２枚の側板及び前記背板に囲繞されている空間を上側から閉塞する天板と、長さ方向の両端部が前記２枚の側板に取り付けられており、前記天板を下側から支持する戸当たり桟とを更に有し、前記検出保持部は、前記２枚の側板に亘る板状をなし、前記扉に対向する端面を有し、前記戸当たり桟の下側から前記背板に亘って前記天板を覆うように配されており、前記第１面は前記端面であり、前記第２面は前記検出保持部の上面であり、前記検出保持部、前記背板、前記天板、及び前記戸当たり桟に囲繞された空間に、前記接続線が配されることを特徴とする。
【０００８】
本実施の形態に係るキャビネットは、２枚の側板、該２枚の側板に亘る背板、及び該背板に対向する扉を有するキャビネット本体と、該キャビネット本体に収容され、透光性を有する棚板と、該棚板に光を照射する光源とを備えるキャビネットであって、前記キャビネット本体には、前記扉の開閉を検出する開閉検出部を保持する検出保持部が取り付けられ、該検出保持部は、前記扉に対向する第１面と、該第１面とは異なる第２面とを有し、前記第１面に、前記開閉検出部が前記扉に向けて収容される収容穴が設けられており、前記第２面に、前記収容穴に連通し、前記開閉検出部と該開閉検出部が検出した前記扉の開／閉に応じて前記光源の点灯／非点灯を制御する制御部とを接続する接続線が挿通される挿通口が設けられており、前記キャビネット本体は、前記２枚の側板及び前記背板に囲繞されている空間を上側から閉塞する天板を更に有し、前記検出保持部は、前記２枚の側板に亘る横棒状をなし、前記天板の下側、且つ前記棚板よりも上側に配されており、前記第２面は、前記検出保持部の前記背板に対向する面であり、前記天板に、前記接続線が挿通される接続挿通孔が設けられており、前記天板の上側に、前記接続線が配されることを特徴とする。
【０００９】
本実施の形態に係るキャビネットは、非透光性を有し、前記光源を保持する光源保持部を備え、該光源保持部は、前記背板に取り付けられる第１金具と、該第１金具に取り付けられる第２金具と、第１緩衝部材及び第２緩衝部材とを有し、前記第１金具は、一面を前記背板に対面させて前記背板に取り付けられ、前記棚板に向けて前記光源を保持する保持板と、一面を上向きにして前記保持板の下部から前方に突出し、前記第１緩衝部材を介して前記一面に前記棚板の下面が載置される載置板と、一面を上向きにして前記保持板の上部から前方に突出し、前記一面で前記第２金具を受け止める受け止め板とを有する断面コ字状の部材であり、前記第２金具は、一面を下向きにし、前記受け止め板に上側から取り付けられている取り付け板と、一面を下向きにし、前記第２緩衝部材を介して前記棚板の上面を覆う被覆板と、一面を前記保持板に対面させて前記被覆板及び取り付け板を連結する連結板とを有する断面コ字状の部材であることを特徴とする。
本実施の形態に係るキャビネットは、２枚の側板、該２枚の側板に亘る背板、及び該背板に対向する扉を有するキャビネット本体と、該キャビネット本体に収容され、透光性を有する棚板と、該棚板に光を照射する光源とを備えるキャビネットであって、前記キャビネット本体には、前記扉の開閉を検出する開閉検出部を保持する検出保持部が取り付けられ、該検出保持部は、前記扉に対向する第１面と、該第１面とは異なる第２面とを有し、前記第１面に、前記開閉検出部が前記扉に向けて収容される収容穴が設けられており、前記第２面に、前記収容穴に連通し、前記開閉検出部と該開閉検出部が検出した前記扉の開／閉に応じて前記光源の点灯／非点灯を制御する制御部とを接続する接続線が挿通される挿通口が設けられており、非透光性を有し、前記光源を保持する光源保持部を備え、該光源保持部は、前記背板に取り付けられる第１金具と、該第１金具に取り付けられる第２金具と、第１緩衝部材及び第２緩衝部材とを有し、前記第１金具は、一面を前記背板に対面させて前記背板に取り付けられ、前記棚板に向けて前記光源を保持する保持板と、一面を上向きにして前記保持板の下部から前方に突出し、前記第１緩衝部材を介して前記一面に前記棚板の下面が載置される載置板と、一面を上向きにして前記保持板の上部から前方に突出し、前記一面で前記第２金具を受け止める受け止め板とを有する断面コ字状の部材であり、前記第２金具は、一面を下向きにし、前記受け止め板に上側から取り付けられている取り付け板と、一面を下向きにし、前記第２緩衝部材を介して前記棚板の上面を覆う被覆板と、一面を前記保持板に対面させて前記被覆板及び取り付け板を連結する連結板とを有する断面コ字状の部材であることを特徴とする。
【００１０】
本実施の形態に係るキャビネットは、前記光源保持部は、非光反射性を有することを特徴とする。
【００１１】
本実施の形態に係るキャビネットは、前記保持板及び背板夫々の対応する位置に給電挿通孔が設けられており、前記光源に給電するための給電部材が、前記給電挿通孔を通して前記背板の後側に引き出されることを特徴とする。
【００１２】
本実施の形態にあっては、開閉検出部が、検出保持部の第１面に設けられている収容穴に収容される。故に、開閉検出部が目立つことが抑制される。
検出保持部の第１面と扉との離隔距離を適切に設定すれば、開閉検出部を、扉の近傍にて扉に対向配置することができる。
【００１３】
本実施の形態にあっては、板状の検出保持部が、２枚の側板と背板と天板と戸当たり桟とに囲繞された空間（以下、キャビネット本体の上部空間という）を下側から塞ぐ。このような検出保持部は、キャビネット本体の上部空間を開閉する蓋として構成することができる。故に、検出保持部が目立ち難い。
接続線は、検出保持部の上面に設けられた挿通口から引き出されてキャビネット本体の上部空間に配される。故に、接続線が目立ち難い。
収容穴は戸当たり桟の下側にある。故に、例えばキッチンキャビネットのような背の低いキャビネットの場合、開閉検出部は更に目立ち難い。
【００１４】
本実施の形態にあっては、例えば食器棚のような背の高いキャビネットの場合、検出保持部は使用者の目線より上側に配されるので、目立ち難い。
検出保持部は横棒状なので、検出保持部を戸当たり桟として構成するか、又は戸当たり桟に見せかけることによって、検出保持部を更に目立ち難くすることができる。
接続線は、検出保持部の背板に対向する面に設けられた挿通口から引き出されて天板の上側に配される。故に、例えば食器棚のような背の高いキャビネットの場合、接続線が目立ち難い。
【００１５】
本実施の形態にあっては、光源保持部が第１金具及び第２金具を有する。
第１金具及び第２金具夫々は単純な形状なので、容易に製造することができる。第１金具及び第２金具夫々は金属製なので、放熱性が高い。
棚板は、第１緩衝部材及び第２緩衝部材を介して第１金具の載置板及び第２金具の被覆板の間に挟まれるので、棚板の損傷を抑制することができる。
【００１６】
第２金具の取り付け板は、第１金具の受け止め板に上側から取り付けられる。故に、載置板に棚板を載置した後で、取り付け板を受け止め板に取り付けつつ載置板と被覆板との間に棚板を挟むことができる。従って、棚板をキッチンキャビネットに収容する際の棚板の損傷を抑制することができる。
光源保持部は非透光性を有するので、光源が発した光が光源保持部を透過することによる漏光を抑制することができる。
【００１７】
本実施の形態にあっては、光源保持部材は光を反射しないので、光源が発した光が光源保持部にて反射することによる漏光を抑制することができる。
【００１８】
本実施の形態にあっては、光源に給電するための給電部材が、保持板及び背板夫々の対応する位置に設けられている給電挿通孔を通して背板の後側に引き出される。故に、給電部材が目立ち難い。
【発明の効果】
【００１９】
本実施の形態のキャビネットによる場合、開閉検出部が目立ち難いので、キャビネットの美観を向上させることができる。
【図面の簡単な説明】
【００２０】
【図１】実施の形態１に係るキャビネットの構成を略示する斜視図である。
【図２】キャビネットの要部を模式的に示す断面図である。
【図３】キャビネットが備える光源保持部の構成を略示する断面図である。
【図４】光源保持部の構成を略示する斜視図である。
【図５】実施の形態２に係るキャビネットの構成を略示する正面図である。
【図６】キャビネットの上半分を略示する断面図である。
【図７】キャビネットの要部を模式的に示す断面図である。
【発明を実施するための形態】
【００２１】
以下、本発明を、その実施の形態を示す図面に基づいて詳述する。
【００２２】
実施の形態  １．
図１は、実施の形態１に係るキャビネットの構成を略示する斜視図である。
図２は、キャビネットの要部を模式的に示す断面図である。
図中１はキャビネットであり、キャビネット１は、例えばキッチンキャビネットである。
キャビネット１は、キャビネット本体２と、複数枚の棚板３１，３１，…とを備えている。図１には、キャビネット１が、上下方向に並置された２枚の棚板３１，３１を備えている場合が図示されている。
キャビネット本体２は、側板２１，２１、背板２２、底板２３、戸当たり桟２４、及び扉２５，２５を備えている。キャビネット本体２は非透光性を有する。側板２１，２１、背板２２、底板２３、戸当たり桟２４、及び扉２５，２５夫々は、例えば木材（無垢材又は木質材）製である。
【００２３】
各側板２１は矩形板状をなし、床に垂直に配される。側板２１の下端面は床に接する。図１に示す側板２１の場合、キャビネット１に蹴込を設けるために、側板２１の下側の一隅が矩形状に切り欠かれている。
側板２１，２１は、夫々の切り欠き部を同じ側に向けて、互いに平行に対面配置される。
以下では、側板２１，２１の対面方向を左右方向といい、側板２１，２１夫々の切り欠き部の向く側を前側という。
【００２４】
背板２２は矩形板状をなし、床に垂直に配される。背板２２の下端面は床に接する。背板２２の上端面は側板２１，２１夫々の上端面と面一である。
背板２２は、側板２１，２１夫々の後端部に亘って、側板２１，２１に取り付けられる。
背板２２には、複数個の給電挿通孔２２１，２２１，…が設けられている。
【００２５】
底板２３は矩形板状をなし、床に平行に配される。底板２３の下面は、各側板２１の切り欠き部の上縁部に沿う。つまり、底板２３は、床よりも高い位置に配される。
底板２３は、側板２１，２１及び背板２２に亘って、側板２１，２１及び背板２２に取り付けられる。
【００２６】
戸当たり桟２４は帯板状をなし、背板２２に平行に配される。戸当たり桟２４の上端面は側板２１，２１夫々の上端面と面一である。
戸当たり桟２４は側板２１，２１夫々の前端部に亘る。戸当たり桟２４の長さ方向の両端部は、側板２１，２１に取り付けられる。
キャビネット本体２の前部には、側板２１，２１、底板２３、及び戸当たり桟２４に囲繞された開放部が設けられる。
【００２７】
扉２５，２５夫々は矩形板状をなす。各扉２５の一面には凸状又は凹状の取っ手が設けられる。
一方の扉２５は、取っ手が設けられている面を前側に向けて左側の側板２１に取り付けられる。このために、扉２５の一辺部と側板２１の前辺部とが、蝶番を介して連結される。同様にして、他方の扉２５は右側の側板２１に取り付けられる。
以上の結果、扉２５，２５は、側板２１，２１、底板２３、及び戸当たり桟２４に囲繞された開放部を、観音開き状に開閉する。閉じられている扉２５，２５は、背板２２に対向する。
【００２８】
各棚板３１は、透光性を有する。棚板３１は、例えばガラス製又はアクリル樹脂製である。棚板３１は矩形板状をなす。棚板３１はキャビネット本体２に収容され、底板２３に平行に配される。
棚板３１は入光面３１ａ及び出光面３１ｂを有する。入光面３１ａは棚板３１の後端面であり、出光面３１ｂは棚板３１の前端面である。
【００２９】
キャビネット本体２には、棚板３１，３１夫々を支持する複数個の棚板支持部３２，３２，…が取り付けられる。
図１には、向かって左側の側板２１の右面に取り付けられた棚板支持部３２，３２，…が示されている。棚板３１の左辺部は、前後方向に並置された２個の棚板支持部３２，３２に支持される。棚板支持部３２は、例えば棚板３１を上下両側から挟持する断面コ字状の挟持部材である。
同様に、向かって右側の側板２１の左面にも棚板支持部３２，３２が取り付けられる。棚板３１の右辺部は、前後方向に並置された２個の棚板支持部３２，３２に支持される。
【００３０】
棚板３１，３１夫々を光らせるために、キャビネット本体２には２個の光源部材４，４が収容される。
各光源部材４は、例えばＬＥＤテープである。この場合、光源部材４は複数個の光源４１，４１，…を有する。各光源４１はＬＥＤであり、テープ状の光源基板４２に実装されている。光源４１，４１，…は、光源基板４２の長さ方向に並置されている。
光源部材４は防水性を有していてもよい。
【００３１】
光源基板４２の長さ方向一端部には、コネクタ３３１が接続される。コネクタ３３１には給電線３３２が接続される。コネクタ３３１及び給電線３３２は、光源４１，４１，…に給電するための給電部材である。
【００３２】
給電線３３２は電源ボックス３４に接続される。電源ボックス３４は、給電部３４１及び制御部３４２を有する。
給電部３４１は、例えば商用電源から受電し、給電線３３２に給電する。給電部３４１から給電線３３２に給電された場合、コネクタ３３１及び光源基板４２を介して各光源４１に給電される。この結果、光源４１が発光する。
制御部３４２は、給電部３４１による給電のオン／オフを制御する。
電源ボックス３４は、背板２２の後側に配される。例えば、電源ボックス３４は背板２２の後面に固定される。
【００３３】
キャビネット本体２には、２個の光源保持部５，５が取り付けられる。光源保持部５，５は、光源部材４，４を１個ずつ保持する。
図３は、光源保持部５の構成を略示する断面図である。図４は、光源保持部５の構成を略示する斜視図である。以下では、図２〜図４を参照しつつ、光源保持部５について説明する。
各光源保持部５は、非透光性及び非光反射性を有する。光源保持部５は、第１金具５１、第２金具５２、第１緩衝部材５３、及び第２緩衝部材５４を有する。
【００３４】
第１金具５１及び第２金具５２は金属製である。第１金具５１及び第２金具５２夫々に非光反射性を与えるために、例えば第１金具５１及び第２金具５２夫々の表面は黒く着色される。又は、第１金具５１及び第２金具５２夫々の表面に黒いシートが貼り付けられる。
第１緩衝部材５３及び第２緩衝部材５４は、例えば黒色の合成樹脂製である。
【００３５】
第１金具５１は断面コ字状の部材であり、背板２２に取り付けられる。第１金具５１は、保持板５１１、載置板５１２、及び受け止め板５１３を有する。
保持板５１１は帯板状をなす。保持板５１１の一面には、光源基板４２における光源４１，４１，…が実装されていない面が、例えば両面テープを用いて貼り付けられる。この結果、保持板５１１は光源４１，４１，…を保持する。
保持板５１１は、長さ方向を左右方向に向け、光源４１，４１，…を前側に向け、保持板５１１の後面を背板２２の前面に対面させて、背板２２に取り付けられる（例えばネジ留めされる）。
保持板５１１には給電挿通孔５１４が設けられている。給電挿通孔５１４の配置位置は背板２２の給電挿通孔２２１の配置位置に対応する。給電挿通孔２２１，５１４夫々は、コネクタ３３１の寸法に応じた内径を有する円形状をなす。
【００３６】
載置板５１２は帯板状をなす。載置板５１２の長さ方向は左右方向である。載置板５１２は、保持板５１１の下端部から保持板５１１に垂直に前方に突出している。
第１緩衝部材５３は帯状のシートである。第１緩衝部材５３は、例えば接着材を用いて、載置板５１２の上面に貼り付けられる。
【００３７】
受け止め板５１３は帯板状をなす。受け止め板５１３の長さ方向は左右方向である。受け止め板５１３は、保持板５１１の上端部から保持板５１１に垂直に前方に突出している。
受け止め板５１３には貫通孔５１５が形成されている。受け止め板５１３の下面における貫通孔５１５の周縁部には、ナット５１６が取り付けられている。
貫通孔５１５は、受け止め板５１３の長さ方向に複数個並設されている。ナット５１６は、貫通孔５１５毎に１個ずつ配されている。
【００３８】
第２金具５２は断面コ字状の部材であり、第１金具５１に取り付けられる。第２金具５２は、取り付け板５２１、被覆板５２２、及び連結板５２３を有する。
取り付け板５２１は帯板状をなす。取り付け板５２１には貫通孔５２４が形成されている。貫通孔５２４は、取り付け板５２１の長さ方向に複数個並設されている。
取り付け板５２１は、長さ方向を左右方向に向け、一面を受け止め板５１３の上面に対面させて、複数本のネジ５５，５５，…を用いて受け止め板５１３に上側からネジ留めされる。各ネジ５５は、貫通孔５２４，５１５を上側から貫通して、ナット５１６に螺合する。以上の結果、第２金具５２が受け止め板５１３の上面に受け止められる。
【００３９】
被覆板５２２は帯板状をなす。被覆板５２２の長さ方向は左右方向である。被覆板５２２の一面は下向きである。
第２緩衝部材５４は帯状のシートである。第２緩衝部材５４は、例えば接着材を用いて、被覆板５２２の下面に貼り付けられる。
連結板５２３は帯板状をなす。被覆板５２２の長さ方向は左右方向である。連結板５２３の一面は保持板５１１に対面する。連結板５２３は、取り付け板５２１及び被覆板５２２の前端部同士を連結する。
【００４０】
第１金具５１及び第２金具５２夫々は単純な形状である。故に、例えば金属製の平板を折り曲げることによって、第１金具５１及び第２金具５２夫々を容易に得ることができる。
【００４１】
ここで、図１〜図４を参照しつつ、キャビネット本体２に対する棚板３１の収容手順について説明する。
作業者は、キャビネット本体２に棚板支持部３２，３２，…及び光源保持部５，５の第１金具５１，５１を取り付ける。
次に、作業者は、背板２２の後側から給電挿通孔２２１，５１４を通してコネクタ３３１をキャビネット本体２の内部に引き込み、光源基板４２に接続する。次いで、作業者は、コネクタ３３１を給電挿通孔２２１，５１４の内部に配置する。この結果、コネクタ３３１が給電挿通孔２２１，５１４を部分的に閉塞する。
コネクタ３３１に接続されている給電線３３２は、背板２２の後側に引き出される。作業者は、背板２２の後側にて給電線３３２を電源ボックス３４に接続する。
【００４２】
次に、作業者は、棚板支持部３２，３２，…に棚板３１の左右両辺部を取り付ける。本実施の形態では、棚板支持部３２のコ字の内部に棚板３１が挿入される。
次いで、作業者は、棚板３１の下面における後端部を、第１緩衝部材５３上に上側から載置する。この結果、棚板３１の下面が第１緩衝部材５３を介して載置板５１２の上面に載置される。また、棚板３１の入光面３１ａが光源４１，４１，…に対向配置される。換言すれば、入光面３１ａは棚板３１の背板２２側に向く端面であり、保持板５１１は入光面３１ａに向けて光源４１，４１，…を保持する。
【００４３】
次に、作業者は、棚板３１の上面における後端部に、上側から被覆板５２２を、第２緩衝部材５４を介して載置し、受け止め板５１３の上面に、取り付け板５２１を上側から載置する。更に、作業者は、第１金具５１に第２金具５２をネジ留めする。
この結果、被覆板５２２は、第２緩衝部材５４を介して棚板３１の上面を覆う。
【００４４】
棚板３１は、第１緩衝部材５３及び第２緩衝部材５４を介して第１金具５１の載置板５１２及び第２金具５２の被覆板５２２の間に挟まれる。
第２金具５２は第１金具５１に着脱可能に取り付けられる。故に、棚板３１を光源保持部５に取り付ける場合も棚板３１を光源保持部５から取り外す場合も、棚板３１の下面及び上面を載置板５１２及び被覆板５２２に摺動させる必要がない。従って、棚板３１の着脱時の棚板３１の損傷を抑制することができる。
【００４５】
光源４１，４１，…は棚板３１に光を照射する。各光源４１が発した光は、入光面３１ａから棚板３１の内部に入射する。棚板３１の内部に入射した光は、棚板３１の内部を透過し、棚板３１の上下両面における反射を繰り返して、出光面３１ｂから棚板３１の外部に出射する。この結果、棚板３１が光る。
棚板３１の内部に入射した光は、棚板３１の上面又は下面で部分反射される。故に、棚板３１の上面又は下面もある程度出光面３１ｂとして機能する。
なお、棚板３１の上面又は下面に入射した光が全反射するように、例えば棚板３１の上面又は下面を光反射シートで覆ってもよい。
【００４６】
光源保持部５は非透光性を有するので、光源４１が発した光が光源保持部５を透過することによる漏光を抑制することができる。また、光源保持部５は光を反射しないので、光源４１が発した光が光源保持部５にて反射されることによる漏光を抑制することができる。給電挿通孔２２１，５１４はコネクタ３３１によって部分的に閉塞されているので、給電挿通孔２２１，５１４を通して背板２２の後側に漏れる光の量を低減することができる。
各光源４１は、発光に伴って発熱する。しかしながら、光源保持部５は金属製なので、放熱性が高い。光源４１が発した熱は、光源基板４２を介して光源保持部５に伝達し、光源保持部５から外部に放出される。
【００４７】
なお、背板２２の給電挿通孔２２１は、光源保持部５毎に２個ずつ設けられていてもよい。この場合、２個の給電挿通孔２２１，２２１は、左右方向に並置されている。作業者は、電源ボックス３４の配置位置に近い方の給電挿通孔２２１と光源保持部５の給電挿通孔５１４とを対応させ、電源ボックス３４の配置位置から遠い方の給電挿通孔２２１を光源保持部５の保持板５１１で閉塞する。
また、光源保持部５においては、第１金具５１及び第２金具５２夫々の内面は非光反射性を有し（例えば金属面が黒く着色されており）、第１金具５１及び第２金具５２夫々の外面は光反射性を有していても（例えば金属面そのままであっても）よい。
【００４８】
次に、図１及び図２を参照しつつ、扉２５，２５の開／閉に伴って、光源４１，４１，…の点灯／非点灯を切り替えるための仕組みについて説明する。
キャビネット本体２には、２個の開閉検出部６１，６１が収容される。
各開閉検出部６１は扉２５の開閉を検出する。開閉検出部６１は、例えば静電容量型の近接センサである。開閉検出部６１は柱状の筐体を有し、筐体の内部にセンサ本体が収容されている。開閉検出部６１の一端面からは、センサ本体に接続されている接続線６２が引き出されている。開閉検出部６１の他端面は検出面である。
【００４９】
開閉検出部６１，６１は、検出保持部７に保持される。
検出保持部７は矩形板状をなし、底板２３に平行に配される。
検出保持部７の一端面（第１面）には、２個の収容穴７１，７１が、検出保持部７の一端面の長手方向に並設されている。収容穴７１，７１の配置位置は、検出保持部７の一端面の長手方向中央部である。収容穴７１，７１には開閉検出部６１，６１が１個ずつ収容される。
検出保持部７の一面（第２面）には２個の挿通口７２，７２が設けられている。一方の挿通口７２は、一方の収容穴７１の底部に連通している。同様に、他方の挿通口７２は、他方の収容穴７１の底部に連通している。各挿通口７２には接続線６２が挿通される。
【００５０】
作業者は、検出保持部７の収容穴７１が設けられている端面を前側に向け、検出保持部７の挿通口７２が設けられている面を上側に向ける。次いで、作業者は、検出保持部７を、側板２１，２１、背板２２、及び戸当たり桟２４の下端面に亘って、キャビネット本体２に取り付ける。このために、作業者は、例えば各Ｌ型アングル状の複数個の金具を、検出保持部７の下面と側板２１，２１及び背板２２夫々にネジ留めする。
【００５１】
以上の結果、収容穴７１が設けられている端面は検出保持部７の前端面となる。検出保持部７の前端面は、閉じられている扉２５に対向する。
挿通口７２が設けられている面は検出保持部７の上面となる。
一方の収容穴７１は一方の扉２５に臨み、他方の収容穴７１は他方の扉２５に臨む。
【００５２】
次に、作業者は、接続線６２を収容穴７１の前側から収容穴７１に挿入し、収容穴７１を通して挿通孔５２から接続線６２を引き出す。次いで、作業者は、開閉検出部６１を収容穴７１に挿入する。一方の開閉検出部６１は一方の扉２５に対応し、他方の開閉検出部６１は他方の扉２５に対応する。開閉検出部６１の検出面は、扉２５に適長離隔して適長離隔して対向する。
【００５３】
キャビネット１の製造時に開閉検出部６１の検出面と扉２５との離隔距離を長くするためには、作業者は、検出保持部７の後辺部を切り落とすことによって、検出保持部７の前後方向の長さを短くする。この場合、検出保持部７の前端面と扉２５との離隔距離が長くなるので、開閉検出部６１の検出面と扉２５との離隔距離が長くなる。
【００５４】
背板２２には、接続挿通孔２２２が設けられている。接続挿通孔２２２は、検出保持部７の上面よりも上側に配されている。挿通口７２，７２から引き出された接続線６２，６２は、接続挿通孔２２２に挿通されて、背板２２の後側に引き出される。背板２２の後側に引き出された接続線６２，６２は、電源ボックス３４に接続される。
【００５５】
開閉検出部６１が検出した結果は、接続線６２を介して電源ボックス３４の制御部３４２に与えられる。
制御部３４２は、開閉検出部６１，６１の少なくも一方の検出結果が、扉２５が開いていることを示した場合に、給電部３４１による給電をオンに切り替える。このとき、光源４１，４１，…は点灯する。
一方、制御部３４２は、開閉検出部６１，６１の両方の検出結果が、扉２５が閉じていることを示した場合に、給電部３４１による給電をオフに切り替える。このとき、光源４１，４１，…は消灯する。
【００５６】
つまり、制御部３４２は、開閉検出部６１，６１が検出した扉２５，２５の開／閉に応じて、光源４１，４１，…の点灯／非点灯を制御する。この結果、各棚板３１は、扉２５，２５の少なくも一方が開いている場合に光り、扉２５，２５が両方とも閉まっている場合には光らない。
【００５７】
図１及び図２に示すように、キャビネット本体２は、天板２６を更に備えている。
天板２６は板状をなし、側板２１，２１、背板２２、及び戸当たり桟２４に囲繞されている空間を上側から閉塞する。側板２１，２１、背板２２、及び戸当たり桟２４は、天板２６を下側から支持する。天板２６は、例えばステンレス製のワークトップである。天板２６の床からの高さは、床に立つ使用者の腰の高さ程度である。
【００５８】
以上の結果、検出保持部７は天板２６を下側から覆う。検出保持部７は、側板２１，２１、背板２２、戸当たり桟２４、及び天板２６に囲繞されている空間（キャビネット本体２の上部空間）を下側から塞ぐ。各接続線６２は、キャビネット本体２の上部空間に配される。
キャビネット本体２を組み立てる場合、作業者は検出保持部７の取り付け後に天板２６の取り付けを行なってもよい。
【００５９】
以上のようなキャビネット１の場合、各開閉検出部６１は収容穴７１に収容されている。故に、開閉検出部６１が目立つことが抑制される。
扉２５を開けた使用者は、キャビネット本体２の内部を上側から見下ろす。従って、検出保持部７は目立ち難い。何故ならば、検出保持部７は、戸当たり桟２４の下側から背板２２に亘って配されており、上側から天板２６に覆われているからである。また、検出保持部７の前端面は戸当たり桟２４の下側にあるので、検出保持部７の前端面に設けられている収容穴７１，７１、及び収容穴７１，７１に収容されている開閉検出部６１，６１は目立ち難い。
【００６０】
各接続線６２は、検出保持部７によって塞がれたキャビネット本体２の上部空間に配されているので、たとえ使用者がキャビネット本体２の内部を下側から覗き込んだとしても、接続線６２を目にする虞はない。
なお、キャビネット本体２の上部空間には、キャビネット１に係る配線が引き回されてもよい。検出保持部７がキャビネット本体２に対して着脱可能であれば、検出保持部７は、配線点検時に開閉される点検蓋として機能する。
【００６１】
各コネクタ３３１は給電挿通孔２２１，５１４に収容されており、各給電線３３２は背板２２の後側に引き出されているので、コネクタ３３１，３３１及び給電線３３２，３３２は目立ち難い。
上述したように、開閉検出部６１，６１及び接続線６２，６２等が目立ち難いので、キャビネット１の美観を向上させることができる。
【００６２】
なお、検出保持部７は板状に限定されず、戸当たり桟２４の下側に配された横棒状でもよい。この場合、検出保持部７の前後方向の配置位置を調整することによって、開閉検出部６１の検出面と扉２５との離隔距離を調整することができる。
また、戸当たり桟２４が検出保持部を兼ねていてもよい。ただし、戸当たり桟２４が開閉検出部６１を保持している場合、開閉検出部６１の検出面と扉２５との離隔距離を調整することはできない。何故ならば、戸当たり桟２４の前後方向の配置位置を変更することは不可能だからである。
【００６３】
次に、実施の形態２を説明する。実施の形態２のキャビネット１は、実施の形態１のキャビネット１と略同様の構成である。以下では、実施の形態１との差異について説明し、その他、実施の形態１に対応する部分には同一符号を付してそれらの説明を省略する。
【００６４】
実施の形態  ２．
図５は、実施の形態２に係るキャビネット１の構成を略示する正面図である。
図６は、キャビネット１の上半分を略示する断面図である。
図７は、キャビネット１の要部を模式的に示す断面図である。
キャビネット１は、例えば食器棚である。
図５及び図６に示すように、キャビネット１の上半分には、上下方向に並置された３枚の棚板３１，３１，…が収容される。
キャビネット１の下半分には、図示しない３個の抽斗夫々が出没可能に収容される。
【００６５】
キャビネット本体２は戸当たり桟２４を有していない。キャビネット本体２の前部には、側板２１，２１、底板２３、及び天板２６に囲繞された開放部が設けられている。
本実施の形態の天板２６は矩形板状をなし、例えば木材製である。
天板２６の床からの高さは、床に立つ使用者の頭の高さより高い。使用者は、天板２６を下側から見上げるので、天板２６の上面は、使用者には見えない。
天板２６の上面における前辺部には、案内レール３５が左右方向に敷設される。
電源ボックス３４は、天板２６の上面における案内レール３５よりも後側に載置される。
【００６６】
キャビネット本体２は、扉２５を１枚だけ有する。扉２５の上端部には、案内レール３５に案内されて左右方向に走行する走行部（例えば車輪）が取り付けられている。
以上の結果、扉２５は、側板２１，２１、底板２３、及び天板２６に囲繞された開放部を、吊り引き戸状に開閉する。
図５においては、扉２５の図示は省略している。
【００６７】
本実施の形態の検出保持部７は、矩形断面を有する横棒状をなす。検出保持部７の長さ方向の両端部は、側板２１，２１に取り付けられる。検出保持部７は、天板２６を下側から支持している。
検出保持部７は、天板２６の下側、且つ、１番上の棚板３１よりも上側に配されている。
なお、検出保持部７は、天板２６に取り付けられてもよい。
【００６８】
検出保持部７は、開閉検出部６１を保持する。
検出保持部７の前面（第１面）には、収容穴７１が設けられている。検出保持部７の後面（即ち、背板２２に対向する面。第１面）には、挿通口７２が設けられている。つまり、収容穴７１は、検出保持部７の前面から後面に亘って設けられた貫通孔であり、挿通口７２は、収容穴７１の後側の開口である。
収容穴７１の配置位置は、検出保持部７の長さ方向の両端部の内、扉２５の戸先側の端部である。
【００６９】
天板２６には、接続挿通孔２６１が設けられている。接続挿通孔２６１は、検出保持部７の後面及び案内レール３５よりも後側に配されている。挿通口７２から引き出された接続線６２は、接続挿通孔２６１に挿通されて、天板２６の上側に引き出される。天板２６の上側に引き出された接続線６２は、電源ボックス３４に接続される。
【００７０】
以上のようなキャビネット１の場合、使用者が扉２５を開けたとしても、検出保持部７は目立ち難い。何故ならば、検出保持部７は使用者の目線より上側に配されているからである。また、検出保持部７は戸当たり桟のように見えるので、使用者が気にする可能性が小さいからである。
故に、検出保持部７の前面に設けられている収容穴７１、及び収容穴７１に収容されている開閉検出部６１は目立ち難い。
接続線６２は、天板２６の上側に配されているので、使用者が接続線６２を目にする虞はない。
上述したように、開閉検出部６１及び接続線６２等が目立ち難いので、キャビネット１の美観を向上させることができる。
【００７１】
実施の形態１，２のキャビネット１はキッチンキャビネット又は食器棚であるが、キャビネット１はこれらに限定されない。例えば、キャビネット１はコレクションラックでもよい。この場合、各扉２５は部分的又は全体的に透光性を有している。また、この場合、扉２５，２５が閉まっているときに、使用者が手動でスイッチを切り替えることによって、光源４１，４１，…が点灯してもよい。
【００７２】
キャビネット本体２は木材製に限定されず、例えば金属製でもよい。
開閉検出部６１は、静電容量型の近接センサに限定されるものではない。例えば、開閉検出部６１はマイクロスイッチでもよい。また、例えば扉２５が金属製の場合、開閉検出部６１は誘導型の近接センサでもよい。
【００７３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、キャビネット１に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７４】
１      キャビネット
２      キャビネット本体
２１    側板
２２    背板
２２１  給電挿通孔
２４    戸当たり桟
２５    扉
２６    天板
２６１  接続挿通孔
３１    棚板
３３１  コネクタ（給電部材）
３３２  給電線（給電部材）
３４２  制御部
４１    光源
５      光源保持部
５１    第１金具
５１１  保持板
５１２  載置板
５１３  受け止め板
５１４  給電挿通孔
５２    第２金具
５２１  取り付け板
５２２  被覆板
５２３  連結板
５３    第１緩衝部材
５４    第２緩衝部材
６１    開閉検出部
６２    接続線
７      検出保持部
７１    収容穴
７２    挿通口
【図１】
0006727000.tif 000002
【図２】
0006727000.tif 000003
【図３】
0006727000.tif 000004
【図４】
0006727000.tif 000005
【図５】
0006727000.tif 000006
【図６】
0006727000.tif 000007
【図７】
0006727000.tif 000008